(57)【要約】【課題】携帯式電子機器の動作状態の変更を抑制する。【解決手段】ワイヤレス・キーボード３００はラップトップ型のＰＣ１００に入力する。ＰＣは、複数の使用モードを備える。タブレット・モードにしたＰＣ１００をワイヤレス・キーボード３００と一緒に鞄に入れると、スリープ状態に遷移したＰＣ１００がワイヤレス・キーボード３００に対する予期しない入力でウェイクアップしてバッテリィを消耗する。ＰＣ１００の筐体の姿勢を検出してＰＣが使用していないと認識したときは、ワイヤレス・キーボードからのウェイク・コマンドでウェイクアップしないようにする。ＰＣ１００は不使用状態を認識したときに、ウェイク・コマンドを無視したりワイヤレス・キーボードにウェイク・コマンドの出力を停止するように指示したりする。【選択図】図４
2017174049.tif 000002
【特許請求の範囲】
【請求項１】
他の電子機器から制御コマンドを受け取って動作状態を変更することが可能な携帯式電子機器であって、
前記他の電子機器と通信する通信モジュールと、
筐体の姿勢を検出する姿勢センサと、
前記他の電子機器から前記制御コマンドを受け取ったときに、前記姿勢センサの出力に基づいて前記携帯式電子機器の動作状態を制御する動作制御部と
を有する携帯式電子機器。
【請求項２】
前記動作状態がパワー・オン状態とスリープ状態で、前記制御コマンドが前記携帯式電子機器をウェイクアップさせるコマンドである請求項１に記載の携帯式電子機器。
【請求項３】
前記動作制御部は、前記スリープ状態の間に前記姿勢センサから前記携帯式電子機器の不使用状態での姿勢を示す出力を受け取ったときに前記スリープ状態を維持する処理をする請求項２に記載の携帯式電子機器。
【請求項４】
前記動作制御部は、前記スリープ状態の間に前記姿勢センサから前記携帯式電子機器の不使用状態での姿勢を示す出力を受け取ったときに前記他の電子機器に前記制御コマンドの出力を停止するように指示する請求項２に記載の携帯式電子機器。
【請求項５】
前記動作制御部は、前記制御コマンドをウェイクアップしないで処理する請求項２に記載の携帯式電子機器。
【請求項６】
前記動作制御部は、前記制御コマンドを所定の前記他の電子機器が出力したときだけ前記スリープ状態を維持する請求項３に記載の携帯式電子機器。
【請求項７】
前記他の電子機器が前記携帯式電子機器と無線通信する入力デバイスである請求項１に記載の携帯式電子機器。
【請求項８】
他の携帯式電子機器と通信が可能な携帯式電子機器であって、
前記他の携帯式電子機器と通信する通信モジュールと、
筐体の姿勢を検出する姿勢センサと、
前記姿勢センサから前記携帯式電子機器の不使用状態での姿勢を示す出力を受け取ったときに前記他の携帯式電子機器の動作状態を変更するための制御コマンドを出力する動作制御部と
を有する携帯式電子機器。
【請求項９】
前記動作状態が電話の待受モードと非待受モードである請求項８に記載の携帯式電子機器。
【請求項１０】
携帯式電子機器と通信が可能な入力デバイスであって、
前記携帯式電子機器と通信する通信モジュールと、
前記携帯式電子機器の動作状態を変更するための制御コマンドを生成するコマンド生成部と、
筐体の姿勢を検出する姿勢センサと、
前記姿勢センサから前記入力デバイスの不使用状態の姿勢を示す出力を受け取ったときに前記制御コマンドの出力を抑制する動作制御部と
を有する入力デバイス。
【請求項１１】
他の携帯式電子機器と通信が可能な携帯式電子機器であって、
前記他の携帯式電子機器と通信する通信モジュールと、
筐体の揺動を検出する揺動センサと、
前記揺動センサの出力から前記他の携帯式電子機器の不使用状態を推定したときに前記他の携帯式電子機器の動作状態を変更する制御コマンドを出力する動作制御部と
を有する携帯式電子機器。
【請求項１２】
入力デバイスと通信が可能な携帯式電子機器が動作状態を変更する方法であって、
前記携帯式電子機器が第１の動作状態に遷移するステップと、
前記携帯式電子機器が不使用状態を認識するステップと、
前記不使用状態の認識に応じて前記入力デバイスが出力する制御コマンドによる第２の動作状態への移行を抑制するステップと
を有する方法。
【請求項１３】
前記不使用状態を認識するステップが、前記携帯式電子機器の姿勢を判断するステップを含む請求項１２に記載の方法。
【請求項１４】
前記第２の動作状態への移行を抑制するステップが、前記携帯式電子機器が前記入力デバイスに前記制御コマンドの出力を停止するように指示するステップを含む請求項１２に記載の方法。
【請求項１５】
前記第２の動作状態への移行を抑制するステップが、前記制御コマンドを受け取った前記携帯式電子機器が前記第１の動作状態を維持するステップを含む請求項１２に記載の方法。
【請求項１６】
前記携帯式電子機器に複数の使用モードの設定が可能で、前記携帯式電子機器がタブレット・モードに設定されている間に前記第１の動作状態へ遷移する請求項１２に記載の方法。
【請求項１７】
他の携帯式電子機器と通信が可能な携帯式電子機器が前記他の携帯式電子機器の動作状態を変更する方法であって、
前記携帯式電子機器が第１の動作状態に遷移するステップと、
前記他の携帯式電子機器が第２の動作状態に遷移するステップと、
前記携帯式電子機器が不使用状態であることを認識するステップと、
前記不使用状態の認識に応じて前記他の携帯式電子機器を第１の動作状態に移行させる制御コマンドを出力するステップと
を有する方法。
【請求項１８】
携帯式電子機器と通信が可能な入力デバイスが前記携帯式電子機器の動作状態を変更する方法であって、
前記携帯式電子機器が第１の動作状態に遷移するステップと、
前記入力デバイスが不使用状態であることを認識するステップと、
前記不使用状態の認識に応じて前記入力デバイスが前記携帯式電子機器を第２の動作状態に移行させる制御コマンドの出力を抑制するステップと
を有する方法。
【請求項１９】
他の携帯式電子機器と通信が可能な携帯式電子機器が前記他の携帯式電子機器の動作状態を変更する方法であって、
前記他の携帯式電子機器が第１の動作状態に遷移するステップと、
前記携帯式電子機器が筐体の揺動から前記他の携帯式電子機器が不使用状態であることを推定するステップと、
前記不使用状態の推定に応じて前記携帯式電子機器が前記他の携帯式電子機器を第２の動作状態に遷移させる制御コマンドを出力するステップと
を有する方法。
【請求項２０】
前記携帯式電子機器が筐体の揺動から前記他の携帯式電子機器が使用状態であることを推定するステップと、
前記使用状態の推定に応じて前記携帯式電子機器が前記他の携帯式電子機器を前記第１の動作状態に遷移させる制御コマンドを出力するステップ
を有する請求項１９に記載の方法。
【発明の詳細な説明】
【技術分野】
【０００１】
本発明は、外部からの制御コマンドで携帯式電子機器の動作状態を制御する技術に関する。
【背景技術】
【０００２】
タブレット端末やスマートフォンのような携帯式電子機器は、一般的に主たる入力デバイスとしてタッチ・スクリーンを採用している。他方、ラップトップ型コンピュータ（ラップトップ）やデスクトップ型コンピュータは、一般的に主たる入力デバイスとしてパンタグラフや金属ドームなどで構成した機械式のキーボードを採用している。タッチ・スクリーンは画面のオブジェクトに対する直接的な操作ができる点で優れている。他方、機械式のキーボードはキーストロークとタクタイルで触覚フィードバック（ハプティク）を与えてタッチタイピングを可能にできるため多量の文字の入力に優れている。
【０００３】
携帯式電子機器は、タッチ・スクリーンを補うために無線で接続するワイヤレス・キーボードから文字を入力する場合もある。特許文献１は、ＣＰＵがスリープ・モードに入っている間にキーボードが操作されると、割り込みコントローラに信号を出力してクロック発信部を起動しＣＰＵを通常モードに切り換えることで消費電力を低減する携帯端末を開示する。
【先行技術文献】
【特許文献】
【０００４】
【特許文献１】特開平１０−１６１７８０号公報
【発明の概要】
【発明が解決しようとする課題】
【０００５】
タブレット端末は、アイドル時間が長くなるとスリープ状態に遷移し、何らかのウェイク・コマンドによってパワー・オン状態に遷移する。ウェイクアップのメニューは一般に、ウェイクアップ時の遷移時間とスリープ状態での消費電力の低減を考慮して設定する。ユーザにとっては、使用していないときにスリープ状態を維持して消費電力を抑制し、使用を意図するときに簡単な操作でかつ短時間でウェイクアップができれば都合がよい。
【０００６】
たとえば、ワイヤレス・キーボードから入力する際に、いずれかのキーを操作したときに短時間でウェイクアップできれば、ユーザはウェイクアップが完了するまでの時間およびウェイクアップのための特別な操作にストレスを感じない。したがって、ワイヤレス・キーボードとタブレット端末の通信を常時維持しておいて、いつでもワイヤレス・キーボードからウェイクアップできるようにしておくと便利である。
【０００７】
ワイヤレス・キーボードは移動先で使用するために、タブレット端末と一緒に持ち運ぶことがある。移動中は、ワイヤレス・キーボードがタブレット端末に重ねて保持されたり鞄に収納されたりする。鞄のなかでタブレット端末はスリープ状態に遷移するが、ワイヤレス・キーボードがタブレット端末の筐体に触れたり、鞄の内装に触れたりするとウェイク・コマンドが生成されてウェイクアップする。タブレット端末はウェイクアップしてから一定時間アイドル状態が続いたときに再度スリープ状態に移行するが、繰り返しウェイク・コマンドが生成されてパワー・ステートの遷移を繰り返し、移動先で使用しようとしたときにバッテリィの残容量が足りない事態が発生する。また、場合によっては意図しないワイヤレス・キーボード操作がキーの誤入力を引き起こしユーザの意図しない操作を招く要因となる。
【０００８】
タッチ・スクリーンを搭載するディスプレイ筐体と機械式のキーボードを搭載するシステム筐体がヒンジ機構で結合されているラップトップの場合は、ディスプレイ筐体の開閉状態を検出して、サスペンド状態に遷移させることができるが、タブレット端末やヒンジ機構で姿勢がタブレット・モードに変化したラップトップについては電源ボタンを操作しないとサスペンド状態に遷移させることができない。持ち運びの都度ワイヤレス・キーボードの電源ボタンを操作することは、ユーザに余分な操作を強いることになる。また、無線接続を切断すると使用する際にペアリングに時間がかかるため好ましくない。
【０００９】
なお以上の説明は、タブレット端末やワイヤレス・キーボードを例示して本発明の課題を説明したものであり、本発明の範囲を限定するものではない。そこで本発明の目的は、携帯式電子機器の動作状態を変更する方法を提供することにある。さらに本発明の目的は、携帯式電子機器の消費電力を低減する方法を提供することにある。さらに本発明の目的は、携帯式電子機器の誤入力を防止する方法を提供することにある。さらに本発明の目的は、そのような方法を実現する携帯式電子機器、および入力デバイスを提供することにある。
【課題を解決するための手段】
【００１０】
本発明の第１の態様では、他の電子機器から制御コマンドを受け取って動作状態を変更することが可能な携帯式電子機器を提供する。他の電子機器と通信する通信モジュールと、筐体の姿勢を検出する姿勢センサと、電子機器から制御コマンドを受け取ったときに、姿勢センサの出力に基づいて携帯式電子機器の動作状態を制御する動作制御部とを有する。他の電子機器は、一例で外部入力デバイスとし、動作状態の変更はパワー・オン状態とスリープ状態の間での遷移とすることができる。
【００１１】
本発明の第２の態様は、他の携帯式電子機器と通信が可能な携帯式電子機器を提供する、他の携帯式電子機器と通信する通信モジュールと、筐体の姿勢を検出する姿勢センサと、姿勢センサから携帯式電子機器の不使用状態での姿勢を示す出力を受け取ったときに他の携帯式電子機器の動作状態を変更するための制御コマンドを出力する動作制御部とを有する。動作状態は、一例で電話の待受モードと非待受モードを含むことができる。
【００１２】
本発明の第３の態様は携帯式電子機器と通信が可能な入力デバイスを提供する。携帯式電子機器と通信する通信モジュールと、携帯式電子機器の動作状態を変更するための制御コマンドを生成するコマンド生成部と、筐体の姿勢を検出する姿勢センサと、姿勢センサから入力デバイスの不使用状態の姿勢を示す出力を受け取ったときに制御コマンドの出力を抑制する動作制御部とを有する。制御コマンドは、一例でウェイク・コマンドとすることができる。
【００１３】
本発明の第４の態様は、他の携帯式電子機器と通信が可能な携帯式電子機器を提供する。携帯式電子機器と通信する通信モジュールと、筐体の揺動を検出する揺動センサと、揺動センサの出力から他の携帯式電子機器の不使用状態を推定したときに他の携帯式電子機器の動作状態を変更する制御コマンドを出力する動作制御部とを有する。制御コマンドは、一例で電話の待受モードから非待受モードへ切り換える切換コマンドとすることができる。
【発明の効果】
【００１４】
本発明により、携帯式電子機器の動作状態を変更する方法を提供することができた。さらに本発明より、携帯式電子機器の消費電力を低減する方法を提供することができた。さらに本発明により、携帯式電子機器の誤入力を防止する方法を提供することができた。さらに本発明によりそのような方法を実現する携帯式電子機器および入力デバイスを提供することができた。
【図面の簡単な説明】
【００１５】
【図１】ラップトップ型のパーソナル・コンピュータ（ＰＣ）１００の斜視図である。
【図２】支持部材１０７から取り外されたディスプレイ筐体１０１が単独で存在する様子を示している。
【図３】ＰＣ１００の使用モードを説明するための図である。
【図４】テント・モードのＰＣ１００にワイヤレス・キーボード３００から入力する様子を示す図である。
【図５】ディスプレイ筐体１０１が装着されたＰＣ１００の概略のハードウェア構成を説明するための機能ブロック図である。
【図６】ワイヤレス・キーボード３００の平面図である。
【図７】ワイヤレス・キーボード３００の概略のハードウェア構成を示す機能ブロック図である。
【図８】ＰＣ１００のウェイクアップを抑制する動作手順を示すフローチャートである。
【図９】ＰＣ１００の使用状態と不使用状態を判断する手順を示すフローチャートである。
【図１０】ウェイクアップ回路の一例を示す機能ブロック図である。
【図１１】ウェイクアップ回路の一例を示す機能ブロック図である。
【図１２】ＰＣ１００のウェイクアップを抑制する動作手順を示すフローチャートである。
【図１３】ＰＣ１００のウェイクアップを抑制する他の動作手順を示すフローチャートである。
【図１４】ワイヤレス・キーボード６００の概略のハードウェア構成を示す機能ブロック図である。
【図１５】ラップトップ型のＰＣ８０１とスマートフォン８０３が動作状態を変更する様子を説明するための図である。
【図１６】ＰＣ８０１がスマートフォン８０３に切換コマンドを出力する手順を示すフローチャートである。
【図１７】スマートフォン８０３がＰＣ８０１に切換コマンドを出力する手順を示すフローチャートである。
【発明を実施するための形態】
【００１６】
［定義］
本明細書において、パワー・オン状態とは、ＣＰＵがインストラクションを実行するアクティブ状態をいい、ＡＣＰＩが規定するＣ０ステートに相当する。パワー・オン状態での周辺デバイスは、ホストまたはそれぞれの周辺デバイスのパワー・マネジメント・ポリシーに基づいて、最大電力での動作、省電力状態での動作または停止のいずれかの状態にある。スリープ状態とは、ＣＰＵがインストラクションを実行しないでＣ０ステートよりも消費電力が小さいアイドル状態に遷移している状態で、ＡＣＰＩが規定するＣｎステートに相当する。スリープ状態での周辺デバイスは、パワー・オン状態よりも消費電力が小さい状態に遷移している。
【００１７】
スリープ状態は、ＣＰＵがＣ０ステートとＣｎステートの間を周期的に遷移して、メールやデータの受信などの限られた処理をする場合も含む。スリープ状態は、Ｂｌｕｅｔｏｏｔｈ（ＢＴ：登録商標）モジュールがウェイクアップ・コマンドを受け取ったときにＣＰＵをアクティブするために必要なウェイクアップ回路に電力が供給されている状態をいう。ウェイク・コマンドは、ＰＣをスリープ状態からパワー・オン状態に遷移させるための信号またはデータに相当し、ウェイク・イベントということもできる。
【００１８】
ウェイク・コマンドは直接的または間接的にＣＰＵをＣｎステートからＣ０ステートに遷移させる。使用状態は、コンピュータがパワー・オン状態である場合に加えて、スリープ状態のコンピュータをユーザがただちにウェイクアップさせることができる状態に相当する。不使用状態は、コンピュータがスリープ状態に遷移し、かつただちにウェイクアップさせる状況にない状態に相当する。
【００１９】
［携帯式電子機器］
図１は携帯式電子機器の一例であるラップトップ型のパーソナル・コンピュータ（ＰＣ）１００の斜視図である。機械式のキーボード１０９およびタッチ・パッド１１１を表面に実装するシステム筐体１０５の端部に、支持部材１０７がヒンジ機構１０７ａ、１０７ｂで結合している。支持部材１０７にはタッチ・スクリーン１０３を収納するディスプレイ筐体１０１が着脱可能なように装着されている。
【００２０】
ディスプレイ筐体１０１とシステム筐体１０５は、ヒンジ機構１０７ａ、１０７ｂを通過するリード線で電気的に接続されている。システム筐体１０５には、平面に対してＸ−Ｙ軸を定義し、Ｘ−Ｙ平面に垂直にＺ軸を定義している。ディスプレイ筐体１０１にも同様に、平面に対してＸ−Ｙ軸を定義し、Ｘ−Ｙ平面に垂直にＺ軸を定義している。
【００２１】
システム筐体１０５とディスプレイ筐体１０１に定義した直交座標は、加速度センサが検出する筐体の姿勢に関連付けられる。システム筐体１０５の側面には電源ボタン１１７が取り付けられている。システム筐体１０５の側面には、長辺１０５ａと短辺１０５ｂを定義し、ディスプレイ筐体１０１の側面には、長辺１０１ａと短辺１０１ｂを定義している。ディスプレイ筐体１０１の表面とシステム筐体１０５の表面が形成する角度として開閉角度θを定義している。
【００２２】
図２は、支持部材１０７から取り外されたディスプレイ筐体１０１が単独で存在する様子を示している。このときディスプレイ筐体１０１は、タブレット端末として動作しタッチ・スクリーン１０３だけが入力デバイスとなる。ディスプレイ筐体１０１が指示部材１０７に装着されているときにユーザは、ヒンジ機構１０７ａ、１０７ｂを回動させてＰＣ１００の姿勢を変化させ、さまざま使用モードで使用することができる。
【００２３】
［ＰＣの使用モード］
図３は、ＰＣ１００の使用モードを説明するための図である。本発明が適用できる携帯式電子機器は、通常のタブレット端末のように単一の使用モードを備えているものでもよいが、以下においては、複数の使用モードを備えるＰＣ１００を例示して説明する。ＰＣ１００は、ディスプレイ筐体１０１を開閉角度θが０度から３６０度までの間のいずれかまで回動させて、クローズ・モード、ラップトップ・モード、テント・モード、スタンド・モード、およびタブレット・モードのいずれかの使用モードで使用できる。
【００２４】
図３（Ａ）は、開閉角度θが０度に対応するクローズ・モードを示している。図３（Ｂ）〜図３（Ｄ）は、開閉角度θを所定の範囲にし、かつ、筐体の天地方向を変えて設定した３つの使用モードを示している。図３（Ｂ）は図１の状態に相当するラップトップ・モードを示し、図３（Ｃ）はテント・モードを示し、図３（Ｄ）はスタンド・モードを示している。図３（Ｅ）は、開閉角度θが３６０度のタブレット・モードを示している。
【００２５】
一例においてＰＣ１００は、開閉センサ２２３（図５）がクローズ・モードを検出したときにサスペンド状態に遷移し、サスペンド状態からウェイクアップするときは電源ボタン１１７を操作するため、意図しないウェイクアップは発生しない。一例においてラップトップ・モードでは、キーボード１０９およびタッチ・スクリーン１０３がイネーブルになる。一例においてテント・モード、スタンド・モードおよびタブレット・モードでは、ワイヤレス・キーボード３００（図６）からの入力およびタッチ・スクリーン１０３からの入力が可能になる。
【００２６】
ワイヤレス・キーボード３００を使用するときは、通常、テント・モードまたはスタンド・モードにする。タブレット・モードではワイヤレス・キーボード３００を使用しなくてもよいが、スリープ状態のＰＣ１００をテント・モードまたはスタンド・モードにしてから、ワイヤレス・キーボード３００を操作するとただちにウェイクアップできるようにするために、本実施の形態ではタブレット・モードでもワイヤレス・キーボード３００をイネーブルに設定する。図４は、テント・モードのＰＣ１００にＢＴモジュール２０９で接続したワイヤレス・キーボード３００から入力する様子を示している。
【００２７】
［ＰＣの構成］
図５は、ディスプレイ筐体１０１が装着されたＰＣ１００の概略のハードウェア構成を説明するための機能ブロック図である。Ｉ／Ｏコントローラ２０７には、ＣＰＵ２０１、ビデオ・コントローラ２０５、ＢＴモジュール２０９、ファームウェアＲＯＭ２１０、ＨＤＤ２１１、およびエンベデッド・コントローラ（ＥＣ）２１３が接続されている。
【００２８】
Ｉ／Ｏコントローラ２０７は、ＢＴモジュール２０９の動作を制御するＢＴホスト２０７ａを含んでいる。ＢＴホスト２０７ａは、ＢＴモジュール２０９からウェイク・コマンドを受け取ったときにＣＰＵ２０１をアクティブ状態に遷移させる。ＣＰＵ２０１には、システム・メモリ２０３が接続され、ビデオ・コントローラ２０５にはタッチ・スクリーン１０３を構成するフラット・パネル型のディスプレイ１０３ｂが接続されている。
【００２９】
ＢＴモジュール２０９は、近距離無線通信を実現するハードウェアの一例であるが、本発明はワイヤレス・キーボード３００との通信手段を近距離無線通信に限定する必要は無く、無線ＬＡＮなどの他の規格の無線通信方式を採用してもよい。さらに、本発明はＰＣ１００とワイヤレス・キーボード３００を有線で接続する場合も含む。ファームウェアＲＯＭ２１０は、システム・ファームウェア２５１を格納する。システム・ファームウェア２５１は、本実施の形態の一態様においてスリープ状態の間にワイヤレス・キーボード３００が出力したウェイク・コマンドを処理する。
【００３０】
ＨＤＤ２１１は、アプリケーション、ＯＳ、およびデバイス・ドライバなどのＣＰＵ２０１が実行するプログラムを格納する。ＨＤＤ２１１はさらに、スリープ状態の間にワイヤレス・キーボード３００が出力したウェイク・コマンドを処理するウェイクアップ・モジュール２５３を格納する。ＥＣ２１３は、ＣＰＵ、ＲＯＭ、ＲＡＭ、およびプログラマブルなロジック回路などで構成されたマイクロ・コンピュータである。
【００３１】
ＥＣ２１３には、３軸の加速度センサ２１７、２１９、３軸のジャイロ・センサ２２１、開閉センサ２２３、タッチ・スクリーン１０３を構成するタッチパネル１０３ａ、キーボード１０９、タッチ・パッド１１１、電源ボタン１１７、ＤＣ／ＤＣコンバータ２２７の信号線および電源ユニット２２９の信号線などが接続されている。ＥＣ２１３は、スリープ状態の間も電力が供給されて、ウェイク・コマンドを処理するための動作をする。
【００３２】
加速度センサ２１７はシステム筐体１０５に取り付けられ、加速度センサ２１９はディスプレイ筐体１０１に取り付けられている。加速度センサ２１７、２１９およびジャイロ・センサ２２１はそれぞれシステム筐体１０５およびディスプレイ筐体１０１に定義した３軸方向の加速度および角加速度を検出する。加速度センサ２１７、２１９およびジャイロ・センサ２２１はまた、筐体に発生する揺動を検出する。ここに揺動は、静止に対立する概念で運動する物体の振動数、変位、速度または加速度などの物理量で検出できる。揺動はまた、回転する物体の角速度または角加速度の物理量で検出できる。
【００３３】
開閉センサ２２３は、ディスプレイ筐体１０１が閉じられたときに動作する。開閉センサ２２３は、相手方の磁石で反応するホール素子を利用したホール・センサで構成することができるが、機械スイッチのような他の方式のセンサを利用することもできる。ＥＣ２１３は、加速度センサ２１７、２１９と開閉センサ２２３の出力から使用モードを特定することができる。
【００３４】
ＤＣ／ＤＣコンバータ２２７は、ＥＣ２１３の指示で動作して各デバイスに所定の電圧の電力を供給する。電源ユニット２２９は、電池、充電器、ＡＣ／ＤＣアダプタなどを含み、ＤＣ／ＤＣコンバータ２２７に電力を供給する。ＥＣ２１３はＲＯＭにファームウェア２１３ａを格納する。ＥＣ２１３は、制御レジスタ２１３ｂとタイマ２１３ｃを含む。
【００３５】
ＥＣ２１３のＭＰＵは、ファームウェア２１３ａを実行して、加速度センサ２１７、２１９、およびジャイロ・センサ２２１の出力に基づいて、ＰＣ１００の使用状態または不使用状態を認識する。ＥＣ２１３は、制御レジスタ２１３ｂに対して、不使用状態を認識したときは不使用フラグを設定し、使用状態を認識したときは不使用フラグを解除する。ＥＣ２１３は、加速度センサ２１７、２１９および開閉センサ２２３の出力から認識した使用モードに対応するモード・フラグを制御レジスタ２１３ｂに設定する。
【００３６】
［ワイヤレス・キーボードの構成］
図６は、ワイヤレス・キーボード３００の平面図で、図７は概略の機能ブロック図である。ワイヤレス・キーボード３００の表面には、キーの中央にトラック・ポイント３０１を配置し、さらに、タッチ・パッド３０３および電源ボタン３０２を配置している。トラック・ポイント３０１は、頂部を押圧してマウス・カーソルの移動や画面のスクロール操作をするために使用する。ＰＣ１００がタブレット・モードの間もワイヤレス・キーボード３００はイネーブルに設定されており、ユーザがトラック・ポイント３０１、タッチ・パッド３０３またはいずれかのキーを操作したときに、スリープ状態から短時間でウェイクアップする。
【００３７】
ワイヤレス・キーボード３００は薄型に構成されているため、タブレット・モードのＰＣ１００と一緒に鞄に入れたり重ねて保持されたりすることがある。トラック・ポイント３０１は頂部がキーの表面より突き出ているため、その際に不必要な入力が行われることがある。ただし、ウェイク・コマンドは任意のキーに対する不必要な入力でも生成されるため、ワイヤレス・キーボード３００がトラック・ポイント３０１を含むことは本発明にとって必須ではない。同様にタッチ・パッド３０３および電源ボタン３０２も必須ではない。ワイヤレス・キーボード３００には、筐体の端部に姿勢を判断するための長辺３００ａと短辺３００ｂを定義している。
【００３８】
図７において、キーボード・コントローラ３０７には、トラック・ポイント３０１、タッチ・パッド３０３、キー・マトリクス３０５およびＢＴモジュール３０９が接続されている。ＢＴモジュール３０９は、ＰＣ１００のＢＴモジュール２０９と通信することができる。ＢＴモジュール３０９は、キーボード・コントローラ３０７が出力するキー・コードや座標データをＰＣ１００に送るとともに、ＰＣ１００から受け取った制御コマンドをキーボード・コントローラ３０７に送る。
【００３９】
キーボード・コントローラ３０７は、制御コマンドに応じてイネーブルまたはディスエーブルに遷移する。キーボード・コントローラ３０７は、制御コマンドを受け取ったときにスイッチ３１１をオフ状態に制御して、電源を停止することができる。電源ボタン３０２は、ユーザがオフ状態のスイッチ３１１をオン状態にするために操作する。バッテリィ３１３は、ＢＴモジュール３０９とスイッチ３１１を経由してキーボード・コントローラ３０７に電力を供給する。ＢＴモジュール３０９は、スイッチ３１１がオフ状態でも動作してＰＣ１００とのペアリングを維持することができる。
【００４０】
［ウェイクアップの第１の抑制方法］
図８は、ＰＣ１００のウェイクアップを抑制する動作手順を示すフローチャートである。ブロック４０１でＢＴモジュール２０９、３０９はキーを交換して相互認証を行ってペアリングを終了している。以後、以下の手順を実行する間、ペアリングは維持される。ＰＣ１００は、所定時間アイドル状態が続くとスリープ状態に遷移する。制御レジスタ２１３ｂには、現在の使用モードを示すモード・フラグが設定されている。
【００４１】
ブロック４０３で、ワイヤレス・キーボード３００は、スイッチ３１１がオン状態でキーボード・コントローラ３０７が動作している。ブロック４０５でＰＣ１００がスリープ状態に遷移する。スリープ状態に遷移する典型的な例として、ユーザがＰＣ１００を一時的に使用していない状態と、タブレット・モードのＰＣ１００とワイヤレス・キーボード３００を重ねて鞄に入れて持ち運んでいる状態を想定することができる。この時点でトラック・ポイント３０１、タッチ・パッド３０３またはキーから入力があると、ＢＴモジュール３０９、２０９を通じてウェイク・コマンドが送られスリープ状態のＰＣ１００はウェイクアップする。
【００４２】
ブロック４０７で、ワイヤレス・キーボード３００がウェイク・コマンドを出力すると、ＢＴホスト２１０がＣＰＵ２０１をウェイクアップさせる。鞄に入っている場合のようにユーザがＰＣ１００を使用しない場合はやがてスリープ状態に遷移するが、鞄の中のワイヤレス・キーボード３００は再度ウェイク・コマンドを出力する可能性が高い。ウェイク・コマンドの出力が頻発すると、ＰＣ１００はパワー・オン状態を継続するか、スリープ状態とパワー・オン状態の間のパワー・ステートの変化を頻発させる。
【００４３】
ブロック４０９でＣＰＵ２０１はウェイクアップ・モジュール２５３を実行する。ウェイク・コマンドは、タッチパネル１０３ａに対する操作でも生成される。ブロック４１０でウェイクアップ・モジュール２５３は、ウェイク・コマンドの出力元を調べて、ワイヤレス・キーボード３００が出力元のときだけブロック４１１に移行する。ブロック４１１でウェイクアップ・モジュール２５３は、制御レジスタ２１３ｂにタブレット・モードを示すモード・フラグが設定されている場合だけブロック４１３に移行する。
【００４４】
ブロック４１３でウェイクアップ・モジュール２５３は、制御レジスタ２１３ｂにＰＣ１００の不使用状態を示す不使用フラグが設定されているときだけブロック４１５に移行する。不使用フラグの設定方法は、図９を参照して説明する。ブロック４１０、４１１、４１３において、ウェイク・コマンドをワイヤレス・キーボード３００以外のデバイスが生成したとき、テント・モードまたはスタンド・モードのときおよび不使用フラグが解除されているときは、ブロック４０５に戻ってスリープ状態のＰＣ１００がウェイク・コマンドを受け取るとウェイクアップする。ブロック４１５でウェイクアップ・モジュール２５３が、ＢＴモジュール２０９を通じてキーボード３００を停止させるための制御コマンドを送ると、キーボード・コントローラ３０７はスイッチ３１１をオフ状態に制御する。
【００４５】
キーボード・コントローラ３０７が動作を停止すると、それ以降、トラック・ポイント３０１、タッチ・パッド３０３またはキーから入力があってもキー・コードや座標データを出力しない。したがって、ＰＣ１００がワイヤレス・キーボード３００に対する誤入力でウェイクアップすることがなくなる。バッテリィ３１３は、ＢＴモジュール３０９にだけ電力を供給するため、キーボード・コントローラ３０７の消費電力を低減することができる。キーボード・コントローラ３０７は、スイッチ３１１をオフ状態に遷移する前に、スイッチ３１１をオフ状態に制御することをＰＣ１００に通知する。
【００４６】
ブロック４１７でワイヤレス・キーボード３００が動作を停止したことを認識したウェイクアップ・モジュール２５３は、Ｉ／Ｏコントローラ２０７を通じてＰＣ１００をスリープ状態に遷移させる。ブロック４１９でユーザはタブレット・モードのＰＣ１００の使用を意図する。停止しているワイヤレス・キーボード３００は、キーやトラック・ポイント３０１に対する操作で起動できないので、ユーザはＰＣ１００電源ボタン１１７やタッチパネル１０３ａを操作してＰＣ１００をパワー・オン状態に遷移させる。
【００４７】
ブロック４２１で、ユーザが電源ボタン３０２を操作してキーボード・コントローラ３０７に電力を供給することで、ワイヤレス・キーボード３００からの入力が可能になる。ウェイクアップ・モジュール２５３がキーボード３００に制御コマンドを送って必要のないウェイクアップを抑制する例を説明したが、ウェイク・コマンドを受け取ったときにシステム・ファームウェア２５１が、制御レジスタ２１３ｂにアクセスしてワイヤレス・キーボード３００の動作を停止するようにしてもよい。
【００４８】
上記の手順によれば、タブレット・モードのＰＣ１００とワイヤレス・キーボード３００を鞄に入れて持ち運んでいる間に、意図しないウェイク・コマンドでＰＣ１００がウェイクアップしてバッテリィが消耗することを防ぐことができる。また不使用状態と判断するまでは、スリープ状態のＰＣ１００を、タブレット・モードからテント・モードまたはスタンド・モードにしたときに、ワイヤレス・キーボード３００を操作するだけで、ウェイクアップさせることができる。さらに、ＰＣ１００が不使用状態のためにワイヤレス・キーボード３００を使用する可能性がないときに、電源ボタン３０２を操作しないでもワイヤレス・キーボード３００の消費電力を低減することができる。
【００４９】
図９は、図８のブロック４１３の手順を説明するためのフローチャートである。ブロック５１１でＰＣ１００は、スリープ状態である。ブロック５１３でファームウェア２１３ａは、一定時間観測した加速度センサ２１７、２１９またはジャイロ・センサ２２１のいずれかの検出軸の出力から所定の範囲の揺動を認識したときにブロック５２１に移行し、揺動を認識しないときにブロック５１５に移行する。
【００５０】
ユーザがタブレット・モードのＰＣ１００を手に持って使用している場合は、筐体のいずれかの辺が水平に近いと想定できる。ブロック５１５でファームウェア２１３ａは、一定時間観測した加速度センサ２１７または２１９の３軸の出力からＰＣ１００の筐体の長辺１０５ａ、１０１ａおよび短辺１０５ｂ、１０１ｂのいずれかが、水平に対して所定の範囲にあるか否かを判断する。
【００５１】
水平に対する所定の範囲の角度から筐体の長辺１０５ａ、１０１ａまたは短辺１０５ｂ、１０１ｂが水平と見なせるときは、ブロック５１７でファームウェア２１３ａは制御レジスタ２１３ｂの不使用フラグを解除する。いずれの辺も水平と見なせないときはブロック５１９でファームウェア２１３ａは、制御レジスタ２１３ｂに不使用フラグを設定する。ブロック５１９は、ユーザがタブレット・モードのＰＣ１００を長辺１０５ａおよび短辺１０５ｂが傾斜した状態で放置している状態を想定することができる。ブロック５２１でファームウェア２１３ａは、加速度センサ２１７、２１９の出力から認識したＰＣ１００の姿勢に依存して人間の二足歩行がもたらす揺動が最も強く表れるジャイロ・センサ２２１の検出軸を選択する。
【００５２】
ファームウェア２１３ａは、一定時間観測したジャイロ・センサ２２１の出力波形を分析してＰＣ１００を抱えた、または鞄に入れたユーザが歩行していると認識したときにブロック５２３で制御レジスタ２１３ｂに不使用フラグを設定し、歩行していないと認識したときにブロック５２５で不使用フラグを解除する。ブロック５２５は、揺動を与える電車でタブレット・モードのＰＣ１００が使用されている状態を想定することができる。
【００５３】
本発明は、ディスプレイ筐体１０１が支持部材１０７から取り外されてタブレット端末として動作する場合にも適用することができる。あるいは、システム筐体と結合しない専用のタブレット端末に適用することもできる。当業者は、その場合のハードウェアの構成を図５から理解することが可能である。図８、図９の手順は本発明の一例を説明するためのもので、本発明の実現が可能な範囲で順番を入れ替えたり、不要な手順を省略したりすることができる。
【００５４】
［ウェイクアップの第２の抑制方法］
第１の抑制方法では、ＰＣ１００とワイヤレス・キーボード３００の協働によりウェイクアップを抑制したが、本発明はＰＣ１００だけでウェイクアップを抑制することもできる。第２の抑制方法を実現するウェイクアップ回路の一例を図１０に示す。図１０では図５と同一要素に同一の参照番号を付して説明を省略する。Ｉ／Ｏコントローラ２０７は、ＢＴホスト２０７ａとウェイクアップ・コントローラ２７１で構成するウェイクアップ回路２７０を含んでいる。
【００５５】
ＢＴホスト２０７ａは、ＢＴモジュール２０９からウェイク・コマンドのパケットを受け取ったときにウェイクアップ・コントローラ２７１を通じてＣＰＵ２０１をウェイクアップさせる。ウェイクアップ・コントローラ２７１は、ＢＴホスト２１０の他にキーボード１０１およびタッチパネル１０３ａからのウェイク・コマンドでもＣＰＵ２０１をウェイクアップさせる。
【００５６】
ＰＣ１００は、ワイヤレス・キーボード３００以外のＢＴデバイスとも通信する。ウェイクアップ回路２７０は、ＢＴモジュール２０９およびＢＴホスト２０７ａが他のＢＴデバイスと通信する機能は停止させないで、ウェイクアップ・コントローラ２７１がワイヤレス・キーボード３００から受け取ったウェイク・コマンドを認識する。
【００５７】
このときの動作手順は、図８のブロック４１５、４２１だけが変更になる。変更したブロック４１５では、ウェイクアップ・コントローラ２７１がワイヤレス・キーボード３００からのウェイク・コマンドを無視する。また変更したブロック４２１では、ウェイクアップ・コントローラ２７１がワイヤレス・キーボード３００から受け取ったウェイク・コマンドの処理を復帰させる。したがって、ワイヤレス・キーボード３００は、ＰＣ１００の使用状態または不使用状態とは無関係にウェイク・コマンドを送るが、ＰＣ１００は不使用状態のときにウェイク・コマンドを受け取ってもウェイクアップしない。
【００５８】
［ウェイクアップの第３の抑制方法］
図８の手順では、ウェイク・コマンドの種類の判断、使用モードの判断および使用状態の判断のためにウェイク・コマンドを受け取ったときに一度ウェイクアップしたが、本発明は、ウェイクアップしないで実現することもできる。第３の抑制方法を実現するウェイクアップ回路の一例を図１１に示す。図１１では図５と同一要素に同一の参照番号を付して説明を省略する。
【００５９】
ＢＴモジュール２０９とＩ／Ｏコントローラ２０７の間にウェイクアップ・コントローラ２８１が挿入されている。ウェイクアップ・コントローラ２８１は、ＢＴモジュール２０９またはＩ／Ｏコントローラ２０７の中に組み込むこともできる。ウェイクアップ・コントローラ２８１には、ＥＣ２１３が含むファームウェア２１３ａ、制御レジスタ２１３ｂおよびタイマ２１３ｃの機能が組み込まれ、かつ、加速度センサ２１７、２１９、ジャイロ・センサ２２１、および開閉センサ２２３が接続されている。
【００６０】
ウェイクアップ・コントローラ２８１は、ＰＣ１００がスリープ状態のときも電源が供給されてウェイク・コマンドの種類の判断、使用モードの判断および使用状態の使用モードの判断をする。ファームウェア２１３ａはＰＣ１００が不使用状態のときに、ＢＴモジュール２０９から受け取ったパケットからワイヤレス・キーボード３００のウェイク・コマンドを示すパケットを認識したときに、Ｉ／Ｏコントローラ２０７への当該パケットの転送を停止する。
【００６１】
このときのＰＣ１００の動作手順を図１２に示す。ブロック７０１でＰＣ１００がパワー・オン状態に遷移している。ブロック７０３でユーザによる電源ボタン３０２の操作でワイヤレス・キーボード３００が動作している。ブロック７０５でＰＣ１００がスリープ状態に遷移する。ブロック７０７でワイヤレス・キーボード３００がウェイク・コマンドを出力する。ブロック７０９でウェイクアップ・コントローラ２８１は、ウェイク・コマンドの出力源を判断する。
【００６２】
ウェイク・コマンドをワイヤレス・キーボード３００以外のデバイスが出力したときは、ブロック７２１でＰＣ１００がウェイクアップする。ウェイク・コマンドをワイヤレス・キーボード３００が出力したときは、ブロック７１１でファームウェア２１３ａは、図８のブロック４１１と同じ手順で使用モードを判断する。使用モードがタブレット・モード以外のときはブロック７２１でＰＣ１００はウェイクアップする。タブレット・モードのときはブロック７１３でウェイクアップ・コントローラ２８１は、図８のブロック４１３および図９と同じ手順でＰＣ１００の使用状態を判断する。ＰＣ１００は、使用状態のときはブロック７２１でウェイクアップし、不使用状態のときはブロック７１５でウェイク・コマンドを無視してスリープ状態を維持する。
【００６３】
図１３は、ＰＣ１００の他の動作手順を示すフローチャートである。図１３の手順において図１２と同一の要素には同一の参照番号を付して説明を省略する。ブロック７５１では、ワイヤレス・キーボード３００から受け取ったウェイク・コマンドでＰＣ１００がウェイクアップする。ブロック７１３で使用状態を判断したウェイクアップ・コントローラ２８１がブロック７５３でワイヤレス・キーボード３００にＢＴモジュール２０９を通じてキーボード３００を停止させるための制御コマンドを送ると、キーボード・コントローラ３０７はスイッチ３１１をオフ状態に制御する。
【００６４】
その後、ワイヤレス・キーボード３００からの偶発的なウェイク・コマンドの発行が停止するため、やがてブロック７５５でアイドル状態が継続したＰＣ１００はスリープ状態に移行する。ブロック７０１に戻ってユーザが電源ボタン１１７を操作するとＰＣ１００は起動し、ブロック７０３で電源ボタン３０２を操作するとワイヤレス・キーボード３００が動作する。
【００６５】
［ウェイクアップの第４の抑制方法］
本発明は、ワイヤレス・キーボード３００だけでＰＣ１００のウェイクアップを抑制することもできる。図１４は第４の抑制方法を実現するワイヤレス・キーボード６００の概略の機能ブロック図である。ワイヤレス・キーボード６００は、図７に示したワイヤレス・キーボード３００に図５に示したＥＣ２１３、加速度センサ２１７、２１９、およびジャイロ・センサ２２１を追加して構成している。図５および図７と同一の要素には同一の参照番号を付して説明を省略する。
【００６６】
ＥＣ２１３は、スイッチ３１１の制御端子に接続されている。ＥＣ２１３およびＢＴモジュール３０９には、バッテリィ３１３から常時電源が供給されるが、キーボード・コントローラ３０７には、スイッチ３１１を経由して電源が供給される。ワイヤレス・キーボード６００は、使用状態で筐体の長辺３００ａが水平に近くなる。また、不使用状態では、歩行に特有の揺動が発生する。ワイヤレス・キーボード６００は、ＰＣ１００と一緒に鞄に入れて運ばれることがある。
【００６７】
ＥＣ２１３は加速度センサ２１７、２１９、およびジャイロ・センサ２２１の出力により図９の手順でワイヤレス・キーボード６００が不使用状態だと判断したときにスイッチ３１１をオフ状態に制御する。ＰＣ１００はワイヤレス・キーボード３００が使用状態のときだけウェイク・コマンドを受け取ってウェイクアップする。その後ワイヤレス・キーボード６００を使用するときはユーザが電源ボタン３０２を操作する。なお、ＥＣ２１３は、キーボード・コントローラ３０７の停止に代えてまたはキーボード・コントローラ３０７の停止に加えてＢＴモジュール３０９をディスエーブルに設定するようにしてもよい。
【００６８】
［待受モードの制御への適用］
これまで、使用状態を判断してＰＣ１００のウェイクアップを抑制する方法について説明したが、本発明は、ＰＣとスマートフォンの間で行う携帯電話の待受モードの切換制御に適用することもできる。図１５は、スマートフォン８０３とＢＴモジュール８０１ｄで通信してスマートフォン８０３が受信した電話の待受が可能なラップトップ型のＰＣ８０１の構成を説明するための図である。
【００６９】
ＰＣ８０１とスマートフォン８０３は、いずれか一方が待受モードになってスマートフォンに対する電話の受信および通話をすることができる。ＰＣ８０１を使用している間は、ＰＣ８０１を待受モードにし、ＰＣ８０１を使用しないときはスマートフォン８０３を待受モードにすると都合がよい。ＰＣ８０１を待受モードに設定すると、スマートフォン８０３を保持するユーザが、ＰＣ８０１を鞄に入れて移動するような場合に、その都度スマートフォン８０３を待受モードに切り換える必要があるが、設定は面倒で忘れることがある。
【００７０】
切り換えを忘れると、ユーザは電話の受信に気づかないことがある。ＰＣ８０１が使用されないときのスリープ状態への遷移のタイミングでＰＣ８０１が切換コマンドを送ってスマートフォン８０３を待受モードに設定する方法があるが、一時的な作業の中断でスリープ状態に移行するような場合はＰＣ８０１での待受モードを継続する方が便利である。
【００７１】
ＰＣ８０１は、ハードウェアとソフトウェアの協働により構成した待受設定部８０１ａ、切換コマンド出力部８０１ｂおよび使用状態判断部８０１ｃと、ＢＴモジュール８０１ｄを含む。ＰＣ８０１とスマートフォン８０３の動作を図１６のフローチャートに基づいて説明する。図１６の手順では、ＰＣ８０１が不使用状態を認識してスマートフォン８０３に切換コマンドを送る。
【００７２】
ブロック９０１でＰＣ８０１とスマートフォン８０３がパワー・オン状態で、ＢＴモジュール８０１ｄがスマートフォン８０３とペアリングを維持している。ブロック９０３でスマートフォン８０３が非待受モードで動作し、ブロック９０５でＰＣ８０１が待受モードで動作している。ブロック９０７でＰＣ１００がスリープ状態に遷移する。
【００７３】
ブロック９１１で使用状態判断部８０１ｃが、加速度センサおよびジャイロ・センサの出力から図９の手順でＰＣ８０１が使用状態または不使用状態のいずれであるかを判断する。ＰＣ１００が使用状態と判断したときは、待受モードを維持する。したがって、ＰＣ８０１がスリープ状態に遷移していても、スマートフォン８０３への電話呼び出しは、ＢＴモジュール８０１ｄを通じてＰＣ８０１に転送される。
【００７４】
ブロック９１３で使用状態判断部８０１ｃの出力からＰＣ８０１が使用状態と判断した待受設定部８０１ａは、切換コマンド出力部８０１ｂを通じてスマートフォン８０３に切換コマンドを送ると、スマートフォン８０３が待受モードで動作する。ブロック９１５で待受設定部８０１ａは、ＰＣ８０１を非待受モードに設定する。使用状態判断部８０１ｃは、スリープ状態の間、ＰＣ１００の使用状態を判断する。ブロック９１７でＰＣ８０１が使用状態と判断したときは、ブロック９０３に移行する。
【００７５】
ブロック９０３で待受設定部８０１ａは、切換コマンド出力部８０１ｂを通じてスマートフォン８０３に切換コマンドを送ると、スマートフォン８０３が非待受モードで動作する。ブロック９０５で待受設定部８０１ａは、ＰＣ８０１を待受モードに設定する。ブロック９１９でＰＣ８０１がパワー・オン状態に遷移したときはブロック９０３に移行してブロック９１７からの移行と同様に動作する。このような手順によれば、スマートフォン８０３を保持するユーザが、机上に置かれたＰＣ８０１を使用している間に一時的に操作を中断したことによりスリープ状態に遷移しても、ＰＣ８０１で電話を受信することができる。
【００７６】
他方で、スマートフォン８０３を保持するユーザがスリープ状態に遷移したＰＣ８０１を持ち運んでいるような場合は、使用状態判断部８０１ｃがＰＣ８０１の不使用状態を判断してスマートフォン８０３を待受モードに移行させる。したがって、スマートフォン８０３への待受モードへの切り換えを忘れて鞄に入れたＰＣ８０１が電話を受信するようなことがなくなる。
【００７７】
ＰＣ８０１が使用状態の判断をして待受モードの切換制御をする方法を説明したが、本発明は、スマートフォン８０３がＰＣ８０１の使用状態を推定して待受モードを切り換えることができる。このときの手順を図１７に基づいて説明する。図１７は、図１６と同一の要素には同一の参照番号を付して説明を省略する。ブロック９５１では、スマートフォン８０３が筐体の揺動からユーザの歩行を示す揺動を検出したときに、ＰＣ８０１は不使用状態と推定する。
【００７８】
ブロック９５３で、スマートフォン８０３は待受モードに遷移する。ブロック９５５でスマートフォン８０３がＰＣ８０１に切換コマンドを送って非待受モードに切り換える。ブロック９５７でスマートフォン９５７が筐体の揺動が停止してＰＣ８０１の使用状態を推定したときにブロック９０３に移行する。ブロック９０３でスマートフォン８０３が非待受モードに遷移する。ブロック９０５でスマートフォン８０３はＰＣ８０１に切換コマンドを送って待受モードに切り換える。
【００７９】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００８０】
１００  ラップトップ型のＰＣ
１０１  ディスプレイ筐体
１０１ａ、１０１ｂ  筐体の長辺、短辺
１０３  タッチ・スクリーン
１０５  システム筐体
１０５ａ、１０５ｂ  筐体の長辺、短辺
１０９  機械式のキーボード
３００、６００  ワイヤレス・キーボード
３０１  トラック・ポイント
【図１】
2017174049.tif 000003
【図２】
2017174049.tif 000004
【図３】
2017174049.tif 000005
【図４】
2017174049.tif 000006
【図５】
2017174049.tif 000007
【図６】
2017174049.tif 000008
【図７】
2017174049.tif 000009
【図８】
2017174049.tif 000010
【図９】
2017174049.tif 000011
【図１０】
2017174049.tif 000012
【図１１】
2017174049.tif 000013
【図１２】
2017174049.tif 000014
【図１３】
2017174049.tif 000015
【図１４】
2017174049.tif 000016
【図１５】
2017174049.tif 000017
【図１６】
2017174049.tif 000018
【図１７】
2017174049.tif 000019
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
他の電子機器から制御コマンドを受け取ってスリープ状態からパワー・オン状態に動作状態を変更することが可能な携帯式電子機器であって、
前記他の電子機器と通信する通信モジュールと、
筐体の姿勢を検出する姿勢センサと、
前記スリープ状態の間に前記姿勢センサから前記携帯式電子機器の不使用状態での姿勢を示す出力を受け取ったときに前記他の電子機器から前記制御コマンドを受け取っても前記スリープ状態を維持する処理をする動作制御部と
を有する携帯式電子機器。
【請求項２】
前記動作制御部は、前記制御コマンドを所定の前記他の電子機器が出力したときだけ前記スリープ状態を維持する請求項１に記載の携帯式電子機器。
【請求項３】
前記他の電子機器が前記携帯式電子機器と無線通信する入力デバイスである請求項１に記載の携帯式電子機器。
【請求項４】
他の電子機器から制御コマンドを受け取ってスリープ状態からパワー・オン状態に動作状態を変更することが可能な携帯式電子機器であって、
前記他の電子機器と通信する通信モジュールと、
筐体の姿勢を検出する姿勢センサと、
前記スリープ状態の間に前記姿勢センサから前記携帯式電子機器の不使用状態での姿勢を示す出力を受け取ったときに前記他の電子機器に前記制御コマンドの出力を停止するように指示する動作制御部と
を有する携帯式電子機器。
【請求項５】
前記他の電子機器が前記携帯式電子機器と無線通信する入力デバイスである請求項４に記載の携帯式電子機器。
【請求項６】
他の電子機器から制御コマンドを受け取ってスリープ状態からパワー・オン状態に動作状態を変更することが可能な携帯式電子機器であって、
前記他の電子機器と通信する通信モジュールと、
筐体の姿勢を検出する姿勢センサと、
前記他の電子機器から前記制御コマンドを受け取ったときに、前記姿勢センサの出力に基づいて前記携帯式電子機器の動作状態をウェイクアップしないで制御する動作制御部と
を有する携帯式電子機器。
【請求項７】
前記他の電子機器が前記携帯式電子機器と無線通信する入力デバイスである請求項６に記載の携帯式電子機器。
【請求項８】
携帯式電子機器と通信が可能な入力デバイスであって、
前記携帯式電子機器と通信する通信モジュールと、
前記携帯式電子機器の動作状態を変更するための制御コマンドを生成するコマンド生成部と、
筐体の姿勢を検出する姿勢センサと、
前記姿勢センサから前記入力デバイスの不使用状態の姿勢を示す出力を受け取ったときに前記制御コマンドの出力を抑制する動作制御部と
を有する入力デバイス。
【請求項９】
入力デバイスと通信が可能な携帯式電子機器が動作状態を変更する方法であって、
前記携帯式電子機器が第１の動作状態に遷移するステップと、
前記入力デバイスから制御コマンドを受け取って前記第１の動作状態から第２の動作状態に移行するステップと、
前記携帯式電子機器が不使用状態を認識するステップと、
前記不使用状態の認識に応じて前記携帯式電子機器が前記入力デバイスに前記制御コマンドの出力を停止するように指示するステップと
を有する方法。
【請求項１０】
入力デバイスから制御コマンドを受け取って第１の動作状態から第２の動作状態に移行することが可能な携帯式電子機器が動作状態を変更する方法であって、
前記携帯式電子機器が前記第１の動作状態に遷移するステップと、
前記携帯式電子機器が不使用状態を認識するステップと、
前記不使用状態の認識に応じて前記制御コマンドを受け取った前記携帯式電子機器が前記第１の動作状態を維持するステップと
を有する方法。
【請求項１１】
入力デバイスと通信が可能で、タブレット・モードを含む複数の使用モードを備える携帯式電子機器が動作状態を変更する方法であって、
前記タブレット・モードに設定されている間に前記携帯式電子機器が第１の動作状態に遷移するステップと、
前記携帯式電子機器が不使用状態を認識するステップと、
前記不使用状態の認識に応じて前記入力デバイスが出力する制御コマンドによる第２の動作状態への移行を抑制するステップと
を有する方法。        
【請求項１２】
携帯式電子機器と通信が可能な入力デバイスが前記携帯式電子機器の動作状態を変更する方法であって、
前記携帯式電子機器が第１の動作状態に遷移するステップと、
前記入力デバイスが不使用状態であることを認識するステップと、
前記不使用状態の認識に応じて前記入力デバイスが前記携帯式電子機器を第２の動作状態に移行させる制御コマンドの出力を抑制するステップと
を有する方法。